(57)【特許請求の範囲】
【請求項１】
それぞれ回路を有する固定側筐体と移動側筐体とが、中央に貫通孔を有する軸によって回転可能に軸止されるとともに、
この移動側筐体が、固定側筐体に回転可能に軸止された移動側筐体基部と、
この移動側筐体基部に設けられたスライド面上にスライド可能に設けられたスライド部とからなり、
前記スライド部と固定側筐体との回路同士を電線によって電気的に接続してなる電子機器において、
前記電線は、多数本の電線を平行に並べジャケットによりテープ状に形成したフラットケーブル部と、
該フラットケーブル部のジャケットが除去されて露出した多数本の電線を束ねたジャケットストリップ部とを有する電子機器配線用ハーネスであり、
前記フラットケーブル部が前記移動側筐体基部のスライド面上にＵ字状をなすように曲げて配置され、かつ前記フラットケーブル部の幅方向が前記スライド面に対し垂直となるように配置されると共に、
前記ジャケットストリップ部が、前記軸の貫通孔に挿通され、前記スライド面側から前記固定側筐体側に延びていることを特徴とする電子機器。
【請求項２】
前記電線は、少なくとも１本が極細同軸ケーブルであることを特徴とする請求項１に記載の電子機器。
【請求項３】
前記電子機器配線用ハーネスのフラットケーブル部は、多数本の電線を平行に並べジャケットによりテープ状に形成したフラットケーブルを複数枚積み重ねてなることを特徴とする請求項１又は２に記載の電子機器。
【請求項４】
多数本の電線を平行に並べジャケットによりテープ状に形成したフラットケーブル部と、該フラットケーブル部の被覆が除去されて露出した多数本の電線を束ねたジャケットストリップ部とを有し、請求項１〜３のいずれかに記載の電子機器の前記スライド部と固定側筐体との回路同士を電線によって電気的に接続する配線材として用いられることを特徴とする電子機器配線用ハーネス。
【発明の詳細な説明】
【技術分野】
【０００１】
本発明は、それぞれ回路を有する固定側筐体と移動側筐体とが、中央に貫通孔を有する軸によって回転可能に軸止されるとともに、この移動側筐体が、固定側筐体に回転可能に軸止された移動側筐体基部と、この移動側筐体基部に設けられたスライド面上にスライド可能に設けられたスライド部とからなり、前記スライド部と固定側筐体との回路同士を電線によって電気的に接続してなる、携帯電話、携帯用パーソナルコンピュータなどの電子機器、および該電子機器の筐体間配線に用いるハーネスに関する。
【背景技術】
【０００２】
近年、携帯電話に代表される電子機器の小型・軽量化、多機能化は急速に進展している。技術傾向として、携帯電話の内部配線材にフレキシブルプリント配線板（以下、ＦＰＣと記す。）に代わって極細同軸ケーブルアセンブリの要求が増加している。これは、極細同軸ケーブルの持つ伝送特性や耐ノイズ特性が市場のニーズに適合してきたことによる。また、近年の携帯ＴＶの発展により、携帯機器の構造は複雑化している。本発明は、それぞれ回路を有する固定側筐体と移動側筐体とが、中央に貫通孔を有する軸によって回転可能に軸止されるとともに、この移動側筐体が、固定側筐体に回転可能に軸止された移動側筐体基部と、この移動側筐体基部に設けられたスライド面上にスライド可能に設けられたスライド部とからなり、スライド機構と回転機構を同時に使用することを可能とする電子機器及びそのための配線材に関する。
【０００３】
従来、図１に示すように、固定側筐体１に対してスライド部２がスライド可能に設けられているスライド構造型機器３においては、配線材として図２に示すＦＰＣ４が用いられている。
また、図３に示すように、固定側筐体１に対して移動側筐体５が回転可能に軸止された回転構造型機器６においては、配線材として図４に示す極細同軸ケーブル７が用いられている。
【０００４】
一方、図５に示すように、固定側筐体１１と移動側筐体１２とを重ね合わせた状態（図５（ａ）参照）から、その固定側筐体１１に対して移動側筐体１２を軸周りに回転させ（図５（ｂ）参照）、固定側筐体１１に対して移動側筐体１２をほぼ直角となる位置まで回転させ（図５（ｃ）参照）、移動側筐体１２に設けられたスライド部１４をスライド移動させ（図５（ｄ）参照）、スライド部１４の液晶ディスプレイを見易くしたタイプのスライド機構と回転機構を同時に使用可能な電子機器１３のための配線材としては、例えば、図６（ａ）に示すように、スライド部１４の動きに対応するＦＰＣ１５と、回転部分の動きに対応する多数本の極細同軸ケーブル１６とを接続部１７において半田接続し、ＦＰＣ側端部にＦＰＣコネクタ１８を形成すると共に、極細同軸ケーブル側端部に極細同軸コネクタ１９を形成した構造のものが考えられている。また図６（ｂ）に示す配線材は、図６（ａ）の配線材のフォーミング後形状を示し、多数本の極細同軸ケーブルは結束用保護テープ１６ａによって束ねられている。
【０００５】
本発明に関連する従来技術としては、例えば、特許文献１が挙げられる。特許文献１には、互いにスライドする２枚の基板間を、信号伝送用に各心がシールドされた同軸ケーブルを複数本使用して接続してなる同軸ケーブル接続構造であって、前記複数本の同軸ケーブルは両端部で各ケーブルが平面上に配置されるように束ねられ、前記同軸ケーブルの中間部の束ねられていない領域が余長として保持されていることを特徴とする同軸ケーブル接続構造が開示されている。
【特許文献１】特開２００７−３６５１５号公報
【発明の開示】
【発明が解決しようとする課題】
【０００６】
しかしながら、図６に示す配線材においては、ＦＰＣと極細同軸ケーブルを別々に用意する必要があり、さらにそれらの接続を行う必要があり、作製に手間がかかり、部品コストが上昇してしまう問題がある。
また、従来ＦＰＣの許容曲率半径は、１．０ｍｍから１．５ｍｍ程度であり、スライド部の配線材に必要な高さは２．０ｍｍから３．０ｍｍ程度必要であった。しかし、近年の携帯機器の薄型化要求に対応するべく、更なる薄型化が求められている。従来のＦＰＣを用いた配線材では、更なる薄型化の要求に対応することは困難であった。
【０００７】
本発明は、前記事情に鑑みてなされ、スライド機構と回転機構を同時に使用可能な電子機器のための配線材において、より安価に提供でき、しかもスライド部の高さが１．５ｍｍ以下であっても対応させることが可能な電子機器と、その配線材として用いられる電子機器配線用ハーネスの提供を目的とする。
【課題を解決するための手段】
【０００８】
前記目的を達成するため、本発明は、それぞれ回路を有する固定側筐体と移動側筐体とが、中央に貫通孔を有する軸によって回転可能に軸止されるとともに、この移動側筐体が、固定側筐体に回転可能に軸止された移動側筐体基部と、この移動側筐体基部に設けられたスライド面上にスライド可能に設けられたスライド部とからなり、前記スライド部と固定側筐体との回路同士を電線によって電気的に接続してなる電子機器において、
前記電線は、多数本の電線を平行に並べジャケットによりテープ状に形成したフラットケーブル部と、該フラットケーブル部のジャケットが除去されて露出した多数本の電線を束ねたジャケットストリップ部とを有する電子機器配線用ハーネスであり、前記フラットケーブル部が前記移動側筐体基部のスライド面上にＵ字状をなすように曲げて配置され、かつ前記フラットケーブル部の幅方向が前記スライド面に対し垂直となるように配置されると共に、前記ジャケットストリップ部が、前記軸の貫通孔に挿通され、前記スライド面側から前記固定側筐体側に延びていることを特徴とする電子機器を提供する。
【０００９】
本発明の電子機器において、前記電線は、少なくとも１本が極細同軸ケーブルであることが好ましい。
【００１０】
本発明の電子機器において、前記電子機器配線用ハーネスのフラットケーブル部は、多数本の電線を平行に並べジャケットによりテープ状に形成したフラットケーブルを複数枚積み重ねてなることが好ましい。
【００１１】
また本発明は、多数本の電線を平行に並べジャケットによりテープ状に形成したフラットケーブル部と、該フラットケーブル部の被覆が除去されて露出した多数本の電線を束ねたジャケットストリップ部とを有し、請求項１〜３のいずれかに記載の電子機器の前記スライド部と固定側筐体との回路同士を電線によって電気的に接続する配線材として用いられることを特徴とする電子機器配線用ハーネスを提供する。
【発明の効果】
【００１２】
本発明によれば、スライド機構と回転機構を同時に使用可能な電子機器のための配線材をより安価に提供でき、しかもスライド部の高さが１．５ｍｍ以下であっても対応させることが可能な電子機器と、その配線材として用いられる電子機器配線用ハーネスを提供できる。
【発明を実施するための最良の形態】
【００１３】
以下、図面を参照して本発明の実施形態を説明する。
図７は、本発明の電子機器配線用ハーネスの一実施形態を示す概略平面図である。本実施形態の電子機器配線用ハーネス２０は、多数本の極細同軸ケーブル２１を平行に並べてジャケット２４によりテープ状に形成したフラットケーブル２２を複数枚重ね合わせたフラットケーブル部２３と、該フラットケーブル部２３のジャケット２４が除去されて露出した多数本の極細同軸ケーブル２１を結束材２８で束ねたジャケットストリップ部２５と、フラットケーブル部２３側の端部に設けられた第１コネクタ２６と、ジャケットストリップ部２５側の端部に設けられた第２コネクタ２７とからなっている。
【００１４】
本実施形態において、電子機器配線用ハーネス２０としては、図８に示すように、中心導体と、それを囲む内側絶縁層と、それを囲む外部導体と、それを囲む外側被覆とからなる極細同軸ケーブル２１を多数本（図８の例では４本）平行に並べ、紫外線硬化型樹脂やフッ素樹脂などからなるジャケット２４でテープ状に形成したフラットケーブル２２、及びジャケットストリップ部２５にあっては、ジャケット２４を除去して極細同軸ケーブル２１を露出させたものを用いている。なお、本実施形態では、電線として極細同軸ケーブル１９を用いたが、本発明は本例に限定されるものではなく、給電用電線などの同軸ケーブルではない電線と極細同軸ケーブル２１とを組み合わせて電子機器配線用ハーネス２０を構成してもよい。また、使用する極細同軸ケーブル２１の種類、外部導体の巻き方向の組み合わせ等は限定されない。図８に例示した４心フラットケーブルの幅Ａと厚さＢは、特に限定されないが、例えば、幅Ａ＝１．２３ｍｍ程度、厚さＢ＝０．３６ｍｍ程度に設定することができる。
【００１５】
本実施形態において、電子機器配線用ハーネス２０のフラットケーブル部２３は、図９（ａ），（ｂ）に示すように、前述したフラットケーブル２２を複数枚重ね合わせ、必要に応じてテープ等で束ねた構造になっている。このフラットケーブル部２３は、図１０（ａ）に示すように、回転・スライド可能な電子機器の回転部分に適用させた場合には、捻回により通常の極細同軸ケーブルの束（図１０（ｂ）参照）に比べて、ストレスを受けやすい。従って、本発明においては、フラットケーブル部２３を図１４に示すような回転・スライド可能な電子機器３０におけるスライド面３６に対応する位置に配置し、一方、ジャケット２４を除去して露出した多数本の極細同軸ケーブル２１の束からなるジャケットストリップ部２５は、回転部分に対応させるため、固定側筐体３１と移動側筐体３２とを回転可能に軸止している、中央に貫通孔を有する軸３３の該貫通孔に挿通して配置している。
【００１６】
図１１は、本実施形態の電子機器配線用ハーネス２０のジャケットストリップ部２５周辺を示す斜視図である。このジャケットストリップ部２５は、フラットケーブル部２３の所定位置から片側のジャケット２４を全て除去し、極細同軸ケーブル２１を露出させ、両端部を結束材２８で束ねた構造になっている。本実施形態では、回転・スライド可能な電子機器の回転部分に適用させるためのジャケットストリップ部２５を、フラットケーブル部２３のジャケット２４を取り除いた構造としたことで、図６に示したように、ＦＰＣ１５と極細同軸ケーブル１６とを半田接続したハーネス構造と比べ、より簡単且つ安価に製造できる利点がある。
【００１７】
図１２及び図１３は、本実施形態の電子機器配線用ハーネス２０のフラットケーブル部２３及びジャケットストリップ部２５の構造を示す図である。フラットケーブル部２３及びジャケットストリップ部２５の境界ｂは、フラットケーブル幅方向に沿った直線とすることが望ましい。ジャケット２４を局部除去する方法は、フラットケーブル部２３の完成後にジャケット２４を除去しても良いが、フラットケーブル２２の作製途中で、該ケーブルの一部にジャケット材料を塗布しない部分を設けるか、或いは紫外線硬化型樹脂をジャケットに用いる場合には、紫外線照射を局部的に行わない方法などによって、ジャケット２４が形成されず、極細同軸ケーブル２１が露出した部分を有するフラットケーブル２２を作製し、それぞれの境界の位置を合わせ、複数枚重ねて結束することによって作製することもできる。
【００１８】
この電子機器配線用ハーネス２０は、図１４に示すように、それぞれ回路（図示略）を有する固定側筐体３１と移動側筐体３２とが、回転可能に軸止され、且つ移動側筐体３２に設けられたスライド部３５が移動側筐体基部３４のスライド面３６上をスライド可能に設けられ、スライド部３５と固定側筐体３１とにそれぞれ内蔵された回路同士を電線によって電気的に接続してなる電子機器３０の配線材として適用することで、従来技術の配線材を適用した場合に比べ、電子機器３０の薄型化を図ることができる。
【００１９】
図１４は、本発明に係る電子機器３０の一例を示す一部透視化した斜視図である。
本例の電子機器３０は、それぞれ回路（図示略）を有する固定側筐体３１と移動側筐体３２とが、中央に貫通孔を有する軸３３によって回転可能に軸止されるとともに、この移動側筐体３２が、固定側筐体３１に回転可能に軸止された移動側筐体基部３４と、この移動側筐体基部３４に設けられたスライド面３６上にスライド可能に設けられたスライド部３５とからなり、このスライド部３５と固定側筐体３１との回路同士を、図７に示す電子機器配線用ハーネス２０によって電気的に接続した構成になっている。この電子機器３０は、軸３３を中心として、固定側筐体３１に対して移動側筐体３２が回転可能であると共に、移動側筐体３２のスライド部３５が移動側筐体基部３４のスライド面３６上をスライド可能な構成になっている。
【００２０】
この電子機器３０において、電子機器配線用ハーネス２０のフラットケーブル部２３は、移動側筐体基部３４のスライド面３６上に、Ｕ字状をなすように曲げて配置されると共に、ジャケットストリップ部２５は、軸３３の貫通孔に挿通され、スライド面３６側から固定側筐体３１側に延びている。電子機器配線用ハーネス２０のフラットケーブル部２３側の端末にある第１コネクタ２６は、スライド部３５にある図示していない回路の接続部に接続され、また軸３３の貫通孔を通して固定側筐体３１側に延ばしたジャケットストリップ部２５側の端末にある第２コネクタ２７は、固定側筐体３１にある図示していない回路の接続部に接続されている。
【００２１】
この電子機器３０において、電子機器配線用ハーネス２０のジャケットストリップ部２５は、長さ方向中央部を除く両端部をそれぞれ結束材２８により結束し、中央部には結束材２８を設けずに極細同軸ケーブル２１が露出した状態となっている。そして、軸３３の貫通孔に、結束材２８を設けていない中央部を挿通するように配置している。これにより、軸３３の貫通孔に位置している中央部は、軸３３の回転に伴って比較的容易に捻回され（図１０（ｂ）参照）、軸３３を中心とした固定側筐体３１と移動側筐体３２との間の回転運動をスムースに行うことができるようになる。軸３３の貫通孔に挿通する中央部に結束材２８があると、回転時、この結束材２８と極細同軸ケーブル２１の束との間、及び結束された極細同軸ケーブル２１同士の間で摩擦が生じ、繰り返し使用時の断線等の不具合を生じる可能性がある。
【００２２】
この電子機器３０において、電子機器配線用ハーネス２０のフラットケーブル部２３は、多数本の極細同軸ケーブル２１を平行に並べジャケット２４によりテープ状に形成したフラットケーブル２２を複数枚積み重ね、これをＵ字状に曲げた状態で、移動側筐体基部３４のスライド面３６上に配置されている。これにより、スライド部３５が移動側筐体基部３４の長手方向に沿ってスライドする際、フラットケーブル部２３がスライド面３６上で緩やかに撓うことによって、前記スライド運動に追従できるようになっている。このフラットケーブル部２３は、多数本の極細同軸ケーブル２１をジャケット２４で被覆しているので、ジャケットストリップ部２５のように軸３３の回転に追従させると、ジャケット２４と極細同軸ケーブル２１間の摩擦により極細同軸ケーブル２１を痛める恐れがあるが、Ｕ字状に曲げた状態で前記スライド運動に追従させた場合には、フラットケーブル部２３がスライド面３６上で緩やかに撓う程度の動きとなるため、十分に適用させることができる。また、フラットケーブル２２を複数枚積み重ね、これをＵ字状に曲げた状態で移動側筐体基部３４のスライド面３６上に配置したことで、スライド部の高さが１．５ｍｍ以下であっても対応させることが可能となり、電子機器３３の薄型化を図る上で非常に有効である。
【００２３】
この電子機器３０において、スライド部３５は、移動側筐体基部３４側に設けられたスライド部材３７の間に、板状をなすスライド部３５の底部をスライド可能に挟持した構成になっている。本例示によるスライド部材３７は、板状をなすスライド部３５の底部の両側縁に接するガイド溝を有し、一対のスライド部材３７のガイド溝間にスライド部３５の底部の両側縁を挟持し、スライド部３５を移動側筐体基部３４の長手方向に沿ってスライド可能に保持している。スライド部３５の底部には、このスライドの範囲を規制するための突起（ストッパー）が設けられている。なお、スライド部３５のスライド機構は、本例示に限定されず、従来周知の別なスライド機構を用いることもできる。
【００２４】
図１５〜図１８は、前記電子機器３０の移動側筐体３２の回転・スライド移動と電子機器配線用ハーネス２０の動きとの関係を示す図である。
図１５は、電子機器３０の固定側筐体３１と移動側筐体３２とを重ね合わせた格納状態（閉状態）を示し、（ａ）はスライド部３５内を透視化した平面図、（ｂ）は電子機器３０内の配線用ハーネス２０の配線状態を示す平面図である。
図１６は、電子機器３０の移動側筐体３２を少し回した状態を示し、（ａ）はスライド部３５内を透視化した平面図、（ｂ）は電子機器３０内の配線用ハーネス２０の配線状態を示す平面図である。
図１７は、電子機器３０の移動側筐体３２を固定側筐体３１に対してほぼ直角となる位置まで回した状態を示し、（ａ）はスライド部３５内を透視化した平面図、（ｂ）は電子機器３０内の配線用ハーネス２０の配線状態を示す平面図である。
図１８は、電子機器３０の移動側筐体３２を固定側筐体３１に対してほぼ直角となる位置まで回した後、スライド部３５を移動側筐体基部３４の長手方向に沿ってスライド移動させた状態を示し、（ａ）はスライド部３５内を透視化した平面図、（ｂ）は電子機器３０内の配線用ハーネス２０の配線状態を示す平面図である。
【００２５】
図１５に示す格納状態において、電子機器配線用ハーネス２０のフラットケーブル部２３は、移動側筐体基部３４のスライド面３６上に、Ｕ字状をなすように曲げて配置されると共に、ジャケットストリップ部２５は、軸３３の貫通孔に挿通され、スライド面３６側から固定側筐体３１側に延びている。フラットケーブル部２３側の端末にある第１コネクタ２６は、スライド部３５にある図示していない回路の接続部に接続され、また軸３３の貫通孔を通して固定側筐体３１側に延ばしたジャケットストリップ部２５側の端末にある第２コネクタ２７は、固定側筐体３１にある図示していない回路の接続部に接続され、固定側筐体３１内の回路とスライド部３５内の回路とが電気的に接続されている。
【００２６】
図１６は、前記格納状態から移動側筐体３２を少し回転させた状態である。固定側筐体３１に対し、軸３３を中心として移動側筐体３２を回転させると、電子機器配線用ハーネス２０のジャケットストリップ部２５の中央部がその回転に追従して捻回される。前述した通り、ジャケットストリップ部２５の中央部は、ジャケット２４や結束材２８で被覆されておらず、図１０（ｂ）に示すように多数本の極細同軸ケーブル２１がフリーの状態になっているため、極細同軸ケーブル２１と結束材２８との間及び極細同軸ケーブル２１同士の間で摩擦が生じることが少なく、回転に追従してスムーズに捻回する。この時、フラットケーブル部２３は、ほとんど移動しない。
【００２７】
図１７は、移動側筐体３２を固定側筐体３１に対してほぼ直角となる位置まで回転させた状態である。移動側筐体３２の回転角度の範囲は特に限定されず、一般に所望の回転角度で回転を規制するために、移動側筐体３２と固定側筐体３１との一方又は両方の適宜な位置に回転を停止させるための突起や溝（ストッパー）を設け、回転角度の範囲を規制している。この移動側筐体３２を開いた状態では、電子機器配線用ハーネス２０のジャケットストリップ部２５の中央部がその回転に追従して捻回され、フラットケーブル部２３は、ほとんど移動しない。
【００２８】
図１８は、図１７に示すように移動側筐体３２を固定側筐体３１に対してほぼ直角となる位置まで回転させた後、スライド部３５を移動側筐体基部３４の長手方向に沿ってスライドさせた状態である。スライド部３５をスライドさせる場合、フラットケーブル部２３がスライド面３６上で緩やかに撓うことによって、前記スライド運動に追従できるようになっている。このスライド部３５のスライド運動において、Ｕ字状に曲げたフラットケーブル部２３はスライド面３６上で緩やかに撓う程度の動きとなるため、フラットケーブル２２を複数枚積み重ねてＵ字状に曲げた状態でも、十分に適用させることができる。
【００２９】
図１８に示す状態から、図１５に示す格納状態までスライド部３５及び移動側筐体３２を戻す場合、電子機器配線用ハーネス２０のフラットケーブル部２３は、スライド面３６上で緩やかに撓い、図１５〜図１７に示すフラットケーブル部２３に示すようなＵ字状に戻り、また捻回された状態にあるジャケットストリップ部２５の中央部は、移動側筐体３２の格納方向への回転に従い、元の捻回されていない状態に戻る。
【００３０】
以上の通り、本発明によれば、スライド機構と回転機構を同時に使用可能な電子機器３０の配線材として好ましい電子機器配線用ハーネス２０をより安価に提供でき、電子機器３０のコスト低減を図ることができる。
また電子機器配線用ハーネス２０を使用することで、スライド部３５の高さが１．５ｍｍ以下であっても対応させることが可能となり、電子機器３０をより一層薄型化することが可能となる。
【図面の簡単な説明】
【００３１】
【図１】従来のスライド構造型機器を例示する斜視図である。
【図２】従来のスライド構造型機器に用いられるＦＰＣを例示する斜視図である。
【図３】従来の回転構造型機器の動きを例示する平面図である。
【図４】従来の回転構造型機器に用いられる配線材を例示する斜視図である。
【図５】本発明に係る回転・スライドを行う電子機器の動きを例示する平面図である。
【図６】従来の回転・スライドを行う電子機器に用いる配線材を例示する図である。
【図７】本発明の電子機器配線用ハーネスの一実施形態を示す平面図である。
【図８】本発明の電子機器配線用ハーネスに用いるフラットケーブルの一例を示す断面図である。
【図９】本発明の電子機器配線用ハーネスのフラットケーブル部を示す図である。
【図１０】本発明の電子機器配線用ハーネスのフラットケーブル部とジャケットストリップ部の捻回状態を説明する図である。
【図１１】本発明の電子機器配線用ハーネスのジャケットストリップ部周辺を示す斜視図である。
【図１２】本発明の電子機器配線用ハーネスのフラットケーブル部及びジャケットストリップ部の詳細な構造を示す図である。
【図１３】本発明の電子機器配線用ハーネスのフラットケーブル部及びジャケットストリップ部２５の詳細な構造を示す図である。
【図１４】本発明に係る電子機器の一例を示す一部透視化した斜視図である。
【図１５】電子機器の固定側筐体と移動側筐体とを重ね合わせた格納状態を示す平面図である。
【図１６】電子機器の移動側筐体を少し回した状態を示す平面図である。
【図１７】電子機器の移動側筐体を固定側筐体に対してほぼ直角の位置まで回した状態を示す平面図である。
【図１８】電子機器の移動側筐体を固定側筐体に対してほぼ直角の位置まで回した後、スライド部をスライド移動させた状態を示す平面図である。
【符号の説明】
【００３２】
２０…電子機器配線用ハーネス、２１…極細同軸ケーブル、２２…フラットケーブル、２３…フラットケーブル部、２４…ジャケット、２５…ジャケットストリップ部、２６…第１コネクタ、２７…第２コネクタ、２８…結束材、３０…電子機器、３１…固定側筐体、３２…移動側筐体、３３…軸、３４…移動側筐体基部、３５…スライド部、３６…スライド面、３７…スライド部材。
【図１】
0005173537.tif 000002
【図２】
0005173537.tif 000003
【図３】
0005173537.tif 000004
【図４】
0005173537.tif 000005
【図５】
0005173537.tif 000006
【図６】
0005173537.tif 000007
【図７】
0005173537.tif 000008
【図８】
0005173537.tif 000009
【図９】
0005173537.tif 000010
【図１０】
0005173537.tif 000011
【図１１】
0005173537.tif 000012
【図１２】
0005173537.tif 000013
【図１３】
0005173537.tif 000014
【図１４】
0005173537.tif 000015
【図１５】
0005173537.tif 000016
【図１６】
0005173537.tif 000017
【図１７】
0005173537.tif 000018
【図１８】
0005173537.tif 000019